(57)【要約】【課題】  調光システムにおいて、照明装置の照度に関わらず常に快適な照明を行うことを可能にする。【解決手段】  色温度が８０００Ｋの蛍光灯１２と、色温度が３０００Ｋの蛍光灯１３の、色温度の異なる２つの光源を用いて、調整手段２０により調整された照度が高い程、制御手段３０によって、蛍光灯１３（低色温度）の照度に対する蛍光灯１２（高色温度）の照度の割合を大きくして照明装置１０全体の色温度が高くなるように制御して、照度と色温度との組合せを常に人間が快適に感じる範囲に収めるようにすることによって、照明装置１０全体の照度に関わらず常に照明を快適な状態にする。【選択図】          図１
2005243406.tif 000002
【特許請求の範囲】
【請求項１】
第１の色温度を有する第１の光源、および前記第１の色温度よりも２０００Ｋ以上低い第２の色温度を有する第２の光源を備えた照明装置と、
該照明装置の照度を調整する調整手段と、
該調整手段により調整された照度が高い程、前記第２の光源の照度に対する前記第１の光源の照度の割合を大きくするように制御する制御手段とを備えたことを特徴とする調光システム。
【請求項２】
前記第１の光源の色温度が５５００Ｋ以上であり、前記第２の光源の色温度が４０００Ｋ以下であることを特徴とする請求項１記載の調光システム。
【請求項３】
前記第１の光源の色温度が７０００Ｋ〜９０００Ｋであり、前記第２の光源の色温度が２０００Ｋ〜４０００Ｋであることを特徴とする請求項１または２記載の調光システム。
【請求項４】
照明装置の所望する照度に応じて、第１の光源の出力を１０〜１００％、第２の光源の出力を５０〜１００％の範囲内で、消灯することなく連続的に変化させることを特徴とする請求項１から３のいずれか１項記載の調光システム。
【請求項５】
前記第１の光源および前記第２の光源が蛍光灯であり、
前記照明装置が、前記２つの蛍光灯を並列に配したものであることを特徴とする請求項１から４のいずれか１項記載の調光システム。
【発明の詳細な説明】
【技術分野】
【０００１】
本発明は、室内空間の照明の調光を行う調光システムに関するものである。
【背景技術】
【０００２】
従来より、特許文献１に記載されているような、室内空間の照明の照度調節を行う調光システムが知られている。この調光システムは、時間帯によって照明の照度を変更したり、明るさセンサー等によって周囲の明るさをモニターし、周囲の明るさによって照明の照度を変更したりすることが可能なものである。
【０００３】
ところで、特にコンビニエンスストアのような２４時間照明を点灯し続けるような施設においては、照明に掛かる電力消費量だけでも相当なものとなってしまうため、上記のような調光システムを用いて、高い照度が必要でない夜間から明方にかけては照明装置の照度を下げて、電力消費量を抑える試みがなされている。
【特許文献１】特開２００２−２９９０６９号公報
【発明の開示】
【発明が解決しようとする課題】
【０００４】
しかしながら、調光システムの照明装置として、青っぽい色（高色温度）の照明装置を用いた場合には、照度を高くしたときには快適に感じるが、照度を低くしたときには陰鬱な感じとなってしまい、反対に赤っぽい色（低色温度）の照明装置を用いた場合には、照度を低くしたときには快適に感じるが、照度を高くしたときには暑苦しい感じとなってしまう。つまり、単に照明装置の照度を調節してしまうと、照度によって快適な場合と不快な場合との両方を生じてしまい、常に快適な照明とすることができない。
【０００５】
本発明は上記問題に鑑みてなされたものであり、照明装置の照度に関わらず、常に快適な照明を行うことが可能な調光システムを提供することを目的とするものである。
【課題を解決するための手段】
【０００６】
本発明による調光システムは、第１の色温度を有する第１の光源、および第１の色温度よりも２０００Ｋ以上低い第２の色温度を有する第２の光源を備えた照明装置と、照明装置の照度を調整する調整手段と、調整手段により調整された照度が高い程、第２の光源の照度に対する第１の光源の照度の割合を大きくするように制御する制御手段とを備えたことを特徴とするものである。
【０００７】
ここで、人間が快適に感じる照度と色温度との関係について説明する。図３のグラフに示すように、色温度の高い領域では、ある程度照度が高い場合には快適に感じるが、照度が低い場合には陰鬱な感じとなってしまい、反対に色温度の低い領域では、ある程度照度が低い場合には快適に感じるが、照度が高い場合には暑苦しい感じとなってしまう。
【０００８】
そのため、本発明は、色温度の異なる２つの光源を用いて、調整手段により調整された照度が高い程、第２の光源（低色温度）の照度に対する第１の光源（高色温度）の照度の割合を大きくして照明装置全体の色温度を高くし、照度と色温度との組合せを常に人間が快適に感じる範囲に収めるようにすることによって、照明装置の照度に関わらず常に照明を快適な状態にすることができるように、照度と色温度の関係を、照度をＹ（ｌｘ）、色温度をＸ（Ｋ）とした時、各々の数値の関係を示す下記の数式において、その係数“ａ”が、０．１３５以上０．１９以下である範囲にあるよう調整することを目的としたものである。
【０００９】
照度と色温度の関係式：  Ｙ＝ａＸ
２つの光源の色温度は少なくとも２０００Ｋ以上離れていることが好ましく、それより差が小さいと色温度の調整可能な範囲が小さいため、発明の目的を達成することが難しくなる。
【００１０】
本発明による調光システムにおいて、第１の光源の色温度を５５００Ｋ以上とし、第２の光源の色温度を４０００Ｋ以下とすることが好ましく、例えば第１の光源の色温度を７０００Ｋ〜９０００Ｋとし、第２の光源の色温度を２０００Ｋ〜４０００Ｋとすればさらによい。
【００１１】
また、照度を落とす時は、色温度が照度低下に伴って低下することが望ましく、第１の光源（高色温度）の出力は１００％から１０％の範囲で変化させるが、第２の光源（低色温度）の出力は、その変化量を少なくし、１００％から５０％の範囲で変化させる事が好ましく、一般商業施設の照明においては、第２の光源の出力は１００％から７５％の範囲で変化させるとさらによい。
【００１２】
さらに、第１の光源および前記第２の光源を蛍光灯として、照明装置を、２つの蛍光灯を並列に配したものとしてもよい。
【発明の効果】
【００１３】
本発明による調光システムは、色温度の異なる２つの光源を用いて、調整手段により調整された照度が高い程、第２の光源（低色温度）の照度に対する第１の光源（高色温度）の照度の割合を大きくして照明装置全体の色温度を高くし、照度と色温度との組合せを常に人間が快適に感じる範囲に収めるようにすることによって、照明装置の照度に関わらず常に照明を快適な状態にすることが可能となる。
【００１４】
そのため、例えばコンビニエンスストアのような施設等において、施設外が明るい昼間は施設内の照明装置の照度を高くし、施設外が暗い夜間から明方にかけては施設内の照明装置の照度を低く抑えて省エネを図るような場合でも、常に照明を快適な状態にすることができる。
【００１５】
また、第１の光源の色温度を５５００Ｋ以上とし、第２の光源の色温度を４０００Ｋ以下とすることにより、２つの光源により色温度を広範囲に変化させることができるため、
照明装置の照度の調整も広範囲に行うことができる。これは、第１の光源の色温度を７０００〜９０００Ｋとし、第２の光源の色温度を２０００〜４０００Ｋとした場合にはより顕著になる。
【００１６】
第１の光源および第２の光源を蛍光灯として、照明装置を、２つの蛍光灯を並列に配したものとすることにより、効果的な照明装置を容易に実現することができる。
【発明を実施するための最良の形態】
【００１７】
以下、本発明の具体的な実施の形態について図面を用いて説明する。図１は本発明の一実施の形態による調光システムの概略構成図、図２はこの調光システムに用いる照明装置の斜視図である。
【００１８】
調光システム１は、色温度が８０００Ｋの蛍光灯１２（第１の光源）および色温度が３０００Ｋの蛍光灯１３（第２の光源）を備えた照明装置１０と、この照明装置１０の照度を調整する調整手段２０と、この調整手段２０により調整された照度に基づいて、照明装置１０の蛍光灯１２および蛍光灯１３の各々を制御する制御手段３０とを備えている。
【００１９】
照明装置１０は、色温度が８０００Ｋの蛍光灯１２と、色温度が３０００Ｋの蛍光灯１３とが、台座１１上に並列に配されたものである。
【００２０】
調整手段２０は、照明装置１０の照度を調整可能なものであればどのようなものでもよく、例えば、ロータリースイッチやスライダー等を用いることができる。また、時間や外光の明るさ等に応じて自動的に照度を調整するコントローラー等を用いてもよい。
【００２１】
本実施の形態において、調整手段２０は、照明装置１０の照度を例えば１０００ｌｘから５００ｌｘの間で変更可能なものとする。
【００２２】
制御手段３０は、図４のグラフに示すような、照明装置１０の照度（括弧内はそのときの照明装置全体の色温度）と、蛍光灯１２（色温度８０００Ｋ）および蛍光灯１３（色温度３０００Ｋ）の各々の出力との関係を示すルックアップテーブルを有しており、調整手段２０により指定された照明装置１０の照度に基づいて、ルックアップテーブルを参照して照明装置１０の蛍光灯１２および蛍光灯１３の各々の出力を制御する。
【００２３】
以下、具体的な制御例を示す。
【００２４】
調整手段２０により、照明装置１０の照度が１０００ｌｘと指定された場合、制御手段３０は、色温度が８０００Ｋの蛍光灯１２の出力を１００％とし、色温度が３０００Ｋの蛍光灯１３の出力も１００％として、照明装置１０全体の色温度を５５００Ｋとする。
【００２５】
また、調整手段２０により、照明装置１０の照度が７５０ｌｘと指定された場合、制御手段３０は、色温度が８０００Ｋの蛍光灯１２の出力を５０％とし、色温度が３０００Ｋの蛍光灯１３の出力を１００％として、照明装置１０全体の色温度を４６００Ｋとする。
【００２６】
また、調整手段２０により、照明装置１０の照度が５００ｌｘと指定された場合、制御手段３０は、色温度が８０００Ｋの蛍光灯１２の出力を１０％とし、色温度が３０００Ｋの蛍光灯１３の出力を９０％として、照明装置１０全体の色温度を３５００Ｋとする。
【００２７】
もちろん上記以外の照度も、図４に示すルックアップテーブルに従って変更することが可能である。
【００２８】
上記のように、調整手段２０により設定された照度に応じて、照明装置１０の色温度を人間が快適に感じる温度に変化させることにより、常に照明装置１０による照明を快適な状態とすることができる。
【００２９】
なお、照度を変更する際には、蛍光灯１２および蛍光灯１３の各々の出力を連続的に変化させることによって、変更の際の違和感を無くすことができる。
【００３０】
以上、本発明の好ましい実施の形態について説明したが、本発明は上記の態様に限定されるものではなく、例えば、照度の指定範囲については１０００ｌｘから５００ｌｘの間に限定されるものではない。
【００３１】
また、照明装置に用いる第１の光源および第２の光源については、蛍光灯以外の光源を用いてもよい。
【００３２】
また、第１の光源および第２の光源の各々の色温度についても、それぞれ８０００Ｋおよび３０００Ｋに限定されるものではない。
【００３３】
さらに、２つの光源により種々の色温度を作りだす場合の、各々の光源の照度の割合についても、上記に限定されるものではない。
【００３４】
本発明において、第１の光源及び第２の光源から発生した光が拡散して混和され、均一で自然な感じの照明となるように乳白部材等の光拡散部材を光源の前面に備しておくのが望ましい。
【図面の簡単な説明】
【００３５】
【図１】本発明の一実施の形態による調光システムの概略構成図
【図２】上記調光システムに用いる照明装置の斜視図
【図３】照度と色温度との関係を示すグラフ
【図４】照度と各蛍光灯の出力との関係を示すグラフ
【符号の説明】
【００３６】
１    調光システム
１０    照明装置
１１    台座
１２    蛍光灯（第１の光源）
１３    蛍光灯（第２の光源）
２０    調整手段
３０    制御手段
【図１】
2005243406.tif 000003
【図２】
2005243406.tif 000004
【図３】
2005243406.tif 000005
【図４】
2005243406.tif 000006